(57)【要約】      （修正有）【課題】生体認証を精度よく行える印刷物の提供。【解決手段】本発明の印刷物は、印刷基材に、文字または図画により構成されるコンテンツと、人体の特徴を定量化した特徴情報を表すシンボルコードと、が印刷されたものであって、前記コンテンツは、赤外線に属する所定の波長域の光を透過し、且つ、可視の波長域の光を吸収する第１の塗料によって印刷されたものであり、前記シンボルコードは、前記赤外線に属する所定の波長域の光を吸収し、且つ、可視の波長域の光を透過する第２の塗料によって印刷されたものである。【選択図】図１
2020093465.tif 000002
【特許請求の範囲】
【請求項１】
印刷基材に、文字または図画により構成されるコンテンツと、人体の特徴を定量化した特徴情報を表すシンボルコードと、が印刷された印刷物において、
前記コンテンツは、赤外線に属する所定の波長域の光を透過し、且つ、可視の波長域の光を吸収する第１の塗料によって印刷されたものであり、
前記シンボルコードは、前記赤外線に属する所定の波長域の光を吸収し、且つ、可視の波長域の光を透過する第２の塗料によって印刷されたものであり、
前記印刷基材の表面における前記赤外線に属する所定の波長域の光の反射の観測によって前記シンボルコードが検出され、該検出されたシンボルコードによって表される前記特徴情報に基づいて前記人体に係る本人の認証が行われるものであることを特徴とする印刷物。
【請求項２】
印刷基材に、文字または図画により構成されるコンテンツと、人体の特徴を定量化した特徴情報を表すシンボルコードと、を印刷する印刷装置において、
赤外線に属する所定の波長域の光を透過し、且つ、可視の波長域の光を吸収する第１の塗料によって前記コンテンツを前記印刷基材の表面に印刷し、
前記赤外線に属する所定の波長域の光を吸収し、且つ、可視の波長域の光を透過する第２の塗料によって前記シンボルコードを前記印刷基材の表面に印刷するものであることを特徴とする印刷装置。
【発明の詳細な説明】
【技術分野】
【０００１】
本発明は、人体の特徴に基づいて本人を認証することに用いる印刷物および該印刷物を印刷するための印刷装置に関する。
【背景技術】
【０００２】
公演に入場するためのチケット（印刷物）などの分野において、該印刷物が不正取得や転得などによるものでなく正当な者による保有であることを認証することが行われている。このような認証の一例として、印刷物の発行を所望する者の人体の特徴を発行時に採取・記録しておき、認証時に改めて印刷物の保有者の人体の特徴を採取して、発行時と認証時とのそれぞれで採取した特徴を比較・検証することで、印刷物の保有者の同一性を認証する、所謂「生体認証（バイオメトリクス認証）」が行われている。
【０００３】
特許文献１には、人体の特徴を示す生体認証情報を含む認証コードが光学的識別符号（ＱＲコード（登録商標）等，シンボルコード）として印刷されたチケットが開示されている。この例のように、チケット自体に生体認証情報を保持する構成にあっては、サーバーに該情報を保有させる構成に比べて、通信環境を有さないスタンドアロン環境であっても生体認証を実現できるとの利点がある。
【先行技術文献】
【特許文献】
【０００４】
【特許文献１】特開２０１７−１１７３０１号公報
【発明の概要】
【発明が解決しようとする課題】
【０００５】
生体認証においては、個人を認証するという性質上、相当高い正確性が要求され、その正確性は比較検証に用いる特徴の情報の量に左右される。比較検証に用いる情報量が少なければ、他人を同一人物として認証してしまうＦＡＲ（他人受け入れ率）が高くなることが一般的には知られている。従って、生体認証によって精度良く正当な保有者本人を認証するためには、印刷物の保有者の特徴を示す情報を十分な量で採取・記録することが必要となる。
【０００６】
シンボルコードが表す情報が増大する場合、一般的にはそのシンボルコードのサイズ（印刷物上に印刷されるサイズ）は大きくなる。詳しく言えば、図形の配列によって情報を表すシンボルコードの特徴より、情報を増やすためには配列する単位図形（シンボルコードを構成する図形の最小単位）を増やす必要があり、単位図形は読み取りの解像度等との関係より一定の大きさに維持する必要がある以上、単位図形を数多く配列するためにはシンボルコード全体として領域（サイズ）を拡大する必要がある。
【０００７】
しかしながら、印刷物においては文字や図形などの他のコンテンツとの関係から、シンボルコードを配置する領域に制約がある。このことは、シンボルコードに表させる情報の量も制約されることを意味する。したがって、シンボルコードが表す情報として本人認証に用いる人体の特徴情報の量が制約を受け、結果として、特徴情報を用いた本人認証の精度が低下するとの問題点があった。
【課題を解決するための手段】
【０００８】
本発明は前述した問題点等を解決するためになされたものであり、本発明の印刷物は、印刷基材に、文字または図画により構成されるコンテンツと、人体の特徴を定量化した特徴情報を表すシンボルコードと、が印刷されたものであって、前記コンテンツは、赤外線に属する所定の波長域の光を透過し、且つ、可視の波長域の光を吸収する第１の塗料によって印刷されたものであり、前記シンボルコードは、前記赤外線に属する所定の波長域の光を吸収し、且つ、可視の波長域の光を透過する第２の塗料によって印刷されたものであり、前記印刷基材の表面における前記赤外線に属する所定の波長域の光の反射の観測によって前記シンボルコードが検出され、該検出されたシンボルコードによって表される前記特徴情報に基づいて前記人体に係る本人の認証が行われるものであることを特徴とする。
【０００９】
また、本発明の印刷装置は、前記コンテンツを前記第１の塗料によって、前記シンボルコードを前記第２の塗料によって、それぞれ印刷基材の表面に印刷するものであることを特徴とする。
【発明の効果】
【００１０】
本発明の印刷物にあっては、赤外線に属する所定の波長域の光を照射した場合、第２の塗料によって印刷された箇所は当該光が吸収される一方で、第１の塗料によって印刷された箇所を含むその他の箇所では、当該光が印刷基材の表面で反射される。したがって、当該光の反射を観測した場合には、第２の塗料によって印刷されたシンボルコードの像のみが検出することとなり、第１の塗料によって印刷されたコンテンツの存在の影響を受けることなく、シンボルコードのみが認識可能となる。換言すれば、位置や大きさに関して他のコンテンツから制約を受けることなくシンボルコードを配置できる。
【００１１】
シンボルコードは本人認証に用いる人体の特徴情報を表しているところ、本人認証の誤判断を抑制するためにより多くの特徴情報をシンボルコードに含めることによって該シンボルコードが大きくなるとしても、コンテンツの存在とは独立して印刷物上に十分な量の特徴情報を表すシンボルコードを印刷物上に配置することができる。したがって、本発明の印刷物によれば、シンボルコードに表された特徴情報を用いて、精度よく本人認証を行うことができるとの効果がある。
【図面の簡単な説明】
【００１２】
【図１】チケット１の発行のプロセスの説明図
【図２】（ａ）顔画像９０ｘと特徴点の説明図、（ｂ）特徴座標群１１ａの説明図、（ｃ）ＱＲコード１１の模式図
【図３】（ａ）可視光Ｖ下で視覚的に観察されるチケット１の表面の態様、（ｂ）赤外光Ｒの反射の観測によるチケット１の表面の態様
【図４】チケット１を用いた本人認証のプロセスの説明図
【発明を実施するための形態】
【００１３】
本願に係る発明（以下「本発明」と称す）を、図１〜図４を参照して実施例に基づいて説明する。図１は、本発明のチケット１を発行するプロセスの説明図である。チケット１は、音楽公演等の入場の際に提示するものであり、購入を所望する者（以下「購入者」と称す）９０の申し込みに基づいて発行されるものである。詳しくは後述するがチケット１には、チケット１を保持する者（以下「保持者」と称す）が購入者９０本人であることを確認する「本人認証」の機能が付与されている。
【００１４】
チケット１は、ＰＣ（パーソナルコンピューター）３０、カメラ３８及びプリンター３２によって構成される一組の装置群によって発行される。ＰＣ３０は、ＣＰＵ（中央演算装置）、ＲＡＭ（主記憶装置）、ＨＤＤ（ハードディスク装置，補助記憶装置）等を備える電子計算機である。カメラ３８は、ケーブル３８ａによってＰＣ３０に接続され、撮影した静止画をＰＣ３０に入力可能に構成される。プリンター３２は、ケーブル３２ａによってＰＣ３０に接続され、ＰＣ３０から送信される指示に基づいて所定の印刷を行う装置である。本実施例では、プリンター３２は、静電気によってトナーを印刷対象（紙）に定着させるレーザー方式の印刷を行うものである。
【００１５】
プリンター３２は、有色トナー３４と、透明トナー３３が装填されている。有色トナー３４は、シアン・マゼンタ・イエロー等の色を呈する複数の塗料で構成され、各色を組み合わせることで視覚的な色を再現するものである。透明トナー３３は、可視域の波長の光を透過する性質をもち、且つ、所定の波長の赤外光（図３の赤外光Ｒ）を吸収する性質をもつ塗料である。なお、有色トナー３４としては、赤外光Ｒを透過する特性を示すものを採用する。
【００１６】
チケット１は、公演の題号などの事前印刷１０が施された用紙１ａに対して、購入番号や指定座席などを示す個別情報１２および後述する特徴座標群１１ａ（図２（ｂ）参照）がエンコードされたＱＲコード１１が、プリンター３２によって印刷されることで発行される。有色トナー３４は個別情報１２を印刷するために、透明トナー３３はＱＲコード１１を印刷するために、それぞれ用いられる。図１においては、本来は不可視であるチケット１のＱＲコード１１を可視的に表現しているが、透明トナー３３によって印刷されたＱＲコード１１は実際には透明であり不可視である。
【００１７】
ＰＣ３０のＨＤＤには発行プログラム４０が記憶されている。発行プログラム４０は、ＰＣ３０のＣＰＵによって実行されるチケット１を発行するための一連の処理を規定するコンピュータープログラムである。詳しくは後述するが、ＰＣ３０のＣＰＵは、発行プログラム４０に従い、カメラ３８やプリンター３２を制御してチケット１を発行する。以下の説明においてプログラム４０を主語として処理の説明をしたときは、該処理をＰＣ３０のＣＰＵが実行することを意味するものとする。
【００１８】
ここから、チケット１を発行する流れを順に説明する。購入者９０がチケット１の発行を申し込んだとき、発行プログラム４０はカメラ３８により購入者９０の顔を撮影し、その結果を静止画（以下「顔画像」と称す）９０ｘ（図２（ａ）参照）として取得する（処理Ｓ４１）。次に、顔画像を解析して購入者９０の顔の特徴を示す座標を解析する（処理Ｓ４２）。
【００１９】
ここで図２を参照して処理Ｓ４２を詳述する。図２（ａ）は、処理Ｓ４１で取得した顔画像９０ｘおよび処理Ｓ４２で解析した座標を表す模式図である。発行プログラム４０は、処理Ｓ４１で顔画像９０ｘを取得した後、図２（ａ）中「×」印で示すように、顔としての特徴を顕著に表す点（以下「特徴点」と称す）を探索する（処理Ｓ４２）。特徴を顕著に表す点としては、例えば、眼球中心、口角、鼻先、あご先、頭頂など、外見上他の部位との境界となるような点を選択する。詳しくは後述するが、ここで探索した特徴点は購入者９０を顔の特徴をもって本人か否かを判断することに用いるものであるので、その数は可能な限り多い方が好ましい。特徴点が少ない場合、たまたま似ている特徴点の多い他人を本人として誤判断してしまう他人受け入れ率（ＦＡＲ）が高くなってしまうが、判断に用いる特徴点が多ければ他人と本人との差をよく表すようになり、結果として誤判断を抑制できるからである。
【００２０】
探索によって得られた特徴点は顔画像９０ｘ上の座標系に置き換えられ、一群の特徴点が特徴座標群１１ａとしてデータ化される（図２（ｂ））。
【００２１】
図１に戻り、発行プログラム４０について処理Ｓ４２以降の処理を説明する。発行プログラム４０は、Ｓ４２の処理で得た特徴座標群１１ａをエンコードしてＱＲコード１１（図２（ｃ））の画像データを生成する（処理Ｓ４３）。ＱＲコード１１は、図形によってデータを表現するシンボルコードである。データに基づいて正方形のモジュール（図形）を一定の方式で縦横にマトリクス状に配置（エンコード）することで、該データを表現する。ＱＲコード１１の規格等については公知であるので、詳しい説明は省略する。
【００２２】
次に発行プログラム４０は、ＱＲコード１１の画像データと、個別情報１２の印字データを合成して印刷イメージデータを生成する（処理Ｓ４４）。このとき、発行プログラム４０は、ＱＲコード１１を透明トナー３３によって、個別情報１２を有色トナー３４によって、それぞれ印刷するように該印刷イメージデータを生成する。その後、発行プログラム４０は生成した印刷イメージデータを送信してプリンター３２に印刷を指示する。これにより、プリンター３２は用紙１ａに対して透明トナー３３でＱＲコード１１を印刷し、有色トナー３４で個別情報１２を印刷して、チケット１を発行する。
【００２３】
個人を特定しうる機微な情報である特徴情報群１１ａを示すＱＲコード１１を透明トナー３３によってチケット１に印刷することで、単にチケット１を目にした者は不可視であるＱＲコード１１の存在に気付かないようにできるので、機微な情報が存在していることを隠蔽することができる。また、一般的なカメラではＱＲコード１１を撮影することが困難であるので、ＱＲコード１１から特徴情報群１１ａを復元することが困難である。したがって、ここまで説明したプロセス（図１）によって発行されたチケット１によれば、生体認証に用いる機微な情報を高度に隠蔽できる。
【００２４】
次に図３を参照して、発行されたチケット１の特徴を説明する。図３（ａ）は可視光Ｖ下で人間が視覚的に認知するチケット１の表面を表した図である。この図によく表されるように、事前印刷１０および個別情報１２は可視である一方、透明トナー３３で印刷されたＱＲコード１１は不可視である。したがって、ＱＲコード１１が事前印刷１０や個別情報１２と一部重畳しているもの、チケット１を見る者はＱＲコード１１の存在に阻害されることなく、事前印刷１０および個別情報１２を参照し得る。
【００２５】
図３（ｂ）は、チケット１に所定の波長の赤外光Ｒを照射した際の反射光によって認識されるチケット１の表面を示している。透明トナー３３によるＱＲコード１１の印刷部分では吸収によって赤外光Ｒの反射がない一方で、事前印刷１０や個別情報１２が印刷された部分では赤外光Ｒが反射される。したがって、照射した赤外光Ｒの反射を観測することで、チケット１に印刷されたＱＲコード１１が撮影可能となる。
【００２６】
前述した通り、本人認証を精度よく行う場合にはＱＲコード１１にエンコードする特徴座標群１１ａに含める特徴点を増やす必要がある。しかしながら、特徴点を増やすと特徴座標群１１ａのデータ量が増大し、結果として特徴座標群１１ａをエンコードして得るＱＲコード１１のサイズが大きくなる。有色のＱＲコードの場合には他の印刷要素を排除して一定の領域にＱＲコードのみを印刷する必要があるが、本発明のチケット１にあっては、赤外光Ｒの照射によって他の有色印刷との重畳を問わずにＱＲコード１１を撮影できるので、サイズや位置の制約なくＱＲコード１１をチケット１に印刷することができる。これによって、より多くの特徴点の情報を特徴座標群１１ａに含められるになるので、本人認証の精度を高めることができる。
【００２７】
また、副次的には、特徴座標群１１ａの他の情報（例えば個別情報１２として印刷する情報）をも含めてＱＲコード１１にエンコードしてもＱＲコード１１の拡大によるチケット１の表面のレイアウトを阻害することがないので、ＱＲコード１１を透明トナー３３によって印刷することによればチケット１により多くの必要／有用な情報を持たせることができるとの効果がある。なお、ここで言う「他の情報」として特徴座標群１１ａについての誤り検出符号／誤り訂正符号を適用した場合には、ＱＲコード１１から特徴座標群１１ａをデコードする処理の失敗を抑制できるので、後述する本人認証（図４）を行う際には至便である。
【００２８】
次に図４を参照して、チケット１による本人認証のプロセスを説明する。チケット１による本人認証は、ＰＣ５０，ハンディスキャナー５２，カメラ５３で構成される一組の装置群を用いて行われる。ＰＣ５０は、ＰＣ３０（図１）と同様、一般的な構成のパーソナルコンピューターである。ハンディスキャナー５２は、赤外光Ｒを照射し、その反射光を撮影する入力装置である。ハンディスキャナー５２はケーブル５２ａを介してＰＣ５０に接続され、撮影結果を画像としてＰＣ５０に入力可能に構成されている。
【００２９】
カメラ５３は、カメラ３８（図１）と同様に、撮影した画像を静止画としてケーブル５３ａを介してＰＣ５０に入力可能に構成される。
【００３０】
ＰＣ５０のＨＤＤには、ＣＰＵが実行する本人認証の手順を規定する認証プログラム６０が記憶されている。以下、認証プログラム６０に基づいてＰＣ５０のＣＰＵが実行する処理を説明するものとし、該説明において認証プログラム６０を主語とした処理についてはＰＣ５０のＣＰＵが実行するものを意味するものとする。
【００３１】
認証プログラム６０は、まずハンディスキャナー５２によってチケット１の表面からＱＲコード１１を読み取り（処理Ｓ６１）、読み取ったＱＲコード１１をデコードして特徴座標群１１ａ（図２（ｂ）参照）を得る。
【００３２】
認証プログラム６０は、カメラ５３によってチケット１を保持する者（以下「保持者」）９０ａを撮影し（処理Ｓ６３）、撮影によって得た静止画を解析して特徴点を探索する（処理Ｓ６４）。なお、処理Ｓ６４において探索する特徴点としては発行プログラム４０における探索（図１、処理Ｓ４２）と同様のアルゴリズムによるものである。
【００３３】
認証プログラム６０は、処理Ｓ６２でデコードした特徴座標群１１ａに含まれる特徴点と、処理Ｓ６４で得た特徴点と、の類似性を評価し、その類似性が一定の水準を満たす場合には、チケット１に関して購入者９０と保持者９０ａが同一人物であると判定する。前述した通り、透明トナー３３によって位置・サイズの制約なくＱＲコード１１は印刷されていることより、該ＱＲコード１１からデコードされた特徴座標群１１ａには十分な数の特徴点の情報が含まれている。したがって、処理Ｓ６５における本人認証においては、保持者９０ａが購入者９０と同一の人物であるか否かを精度よく判定することができる。
【００３４】
以上、実施例に基づいて本発明を説明したが、本発明の実施態様としてはこれに限定されるものではなく、本発明の趣旨を逸脱しない範囲において種々の変更が可能であることは言うまでもない。例えば、実施例では音楽公演等のチケット１を説明したが、組織への所属を証する従業員カード等の印刷物にも本発明は適用可能である。
【００３５】
また、チケット１の発行（図１参照）の際にはカメラ３８によって購入者９０を撮影することを説明したが、例えば購入者９０が保有するスマートフォンで自身を撮影した写真を、ＰＣ３０はインターネットを介して該写真を受信するように構成することも可能である。また、実施例の本人認証は「顔」の外観上の特徴を利用することを説明したが、静脈・虹彩・指紋・声紋など、生体認証の分野で公知の種々の認証方法を採用することが当然に可能である。
【符号の説明】
【００３６】
１                  チケット（印刷物）
１ａ                用紙（印刷基材）
１０                事前印刷（コンテンツ）
１１                ＱＲコード（シンボルコード）
１２                個別情報（コンテンツ）
３０                ＰＣ（発行装置の一部）
３２                プリンター（発行装置の一部）
３３                透明トナー（第２の塗料）
３４                有色トナー（第１の塗料）
４０                発行プログラム（発行装置の一部）
１１ａ              特徴座標群（特徴情報）
９０                購入者
９０ａ              保持者
【図１】
2020093465.tif 000003
【図２】
2020093465.tif 000004
【図３】
2020093465.tif 000005
【図４】
2020093465.tif 000006